(57)【特許請求の範囲】
【請求項１】
本体箱体の下端に外方へ張出す取付フランジを有する乾燥装置を天井等の仕切構造に開設した前記取付フランジの投影平面積より広い開口面積の取付穴にその本体箱体を挿入し、前記仕切構造に取付フランジが沿う状態に取付ける乾燥装置の取付装置であって、前記取付フランジの背面に配設され、前記本体箱体の周側部と前記取付穴の開口端面とを非接触の状態におく金属以外の不燃材料で構成された離隔部材と、前記取付穴の背面側の口縁に外周部が当接し、前記本体箱体を挿通する開口部を中央に備えた不燃材料で構成された固定板とを有し、前記本体箱体を、その前記取付フランジと前記固定板との間に前記離隔部材を挟んでその取付フランジ側から前記固定板へ複数のネジをねじ込んで固定する構成の乾燥装置における取付装置。
【請求項２】
本体箱体の下端に外方へ張出す取付フランジを有する乾燥装置を天井等の仕切構造に開設した前記取付フランジの投影平面積より広い開口面積の取付穴にその本体箱体を挿入し、前記仕切構造に取付フランジが沿う状態に取付ける乾燥装置の取付装置であって、前記取付穴の背面側の口縁に外周部が当接し、前記本体箱体を挿通する開口部を中央に備えた不燃材料で構成された補強板と、この補強板との間に金属以外の不燃材料で構成された離隔部材を挟んで前記仕切構造の背面側に配設され、前記取付穴の室内側の口縁に延びる内向きのフランジを備えた固定部材とを有し、前記本体箱体を前記補強板の開口部に挿通させて、その前記取付フランジを前記固定部材のフランジに取付フランジ側からの複数のネジのねじ込みにより固定する構成の乾燥装置における取付装置。
【請求項３】
請求項１又は請求項２のいずれかに記載の乾燥装置における取付装置であって、乾燥装置の取付フランジのコーナ部分が面取りされたものに対して、その面取り部分を補完する形状の閉止部材を前記取付フランジの前記面取り部分に対応する位置に配設した乾燥装置における取付装置。
【発明の詳細な説明】
【０００１】
【発明の属する技術分野】
本発明は、主として浴室や洗面所などの室内を乾燥雰囲気にするための乾燥装置についての取付装置に関するものである。
【０００２】
【従来の技術】
ユニットバス等の普及とともに浴室や洗面所等の多機能化が進んでいる。そうした中で、例えば特開昭６３―７７４９８号公報、特開平４―２４０４９５号公報、実開平６―３８８９５号公報に示されているように、浴室の浴室としての快適性の向上を図るとともに、浴室を乾燥雰囲気にして衣類等の乾燥室としても利用できるようにした乾燥装置が開発されてきている。
【０００３】
これらの乾燥装置は、基本的にはいずれも図１０に示すように換気用送風機１と循環用送風機２と加熱手段３とを備え、換気機能と温風乾燥機能とを果たすようになっている。換気機能を果たす換気用送風機１も、温風乾燥機能を果たす循環用送風機２及び加熱手段３も共に、室内外を仕切る天井等の仕切構造に貫通して装着される金属製の本体箱体４内に隔壁により離隔状態にして組込まれている。本体箱体４の下端には外方へ張出す取付フランジ５が形成され、図１１に示すように仕切構造６に複数のネジ７により取付けられる。本体箱体４の下面には化粧グリル８が着脱可能に装着され、換気用送風機１の吸込口が化粧グリル８の吸込口に臨んでいる。換気用送風機１の吐出口は本体箱体４の一側に設けられたダクト接続口９に連絡し、換気用送風機１に吸込まれた部屋の空気はダクト接続口９に接続されたダクトを経て室外に排気される。
【０００４】
一方、循環用送風機２は換気用送風機１に並んで本体箱体４に組込まれている。循環用送風機２の吸込口は化粧グリル８の吸込口に臨んでおり、吐出口は化粧グリル８の吸込口に並んで設けられた吹出口に連絡している。加熱手段３は循環用送風機２の吐出口に至る風路の途中に組込まれ、循環用送風機２の吹出し気流を加温する。この乾燥装置は、浴室等の天井に化粧グリル８が天井面に沿って室内に向くように取付けられ、ダクト接続口９にはダクトが接続され室外へ連絡される。換気用送風機１のみの運転では、室内の空気を吸込みダクトを通じて室外へ排気することができ、室内を換気することができる。また、換気用送風機１と循環用送風機２並びに加熱手段３とを運転させることにより室内を乾燥雰囲気にすることができ、衣類等の乾燥室として利用することもできる。
【０００５】
【発明が解決しようとする課題】
上記のような乾燥装置は、取付フランジ５を仕切構造６に密着させ、取付フランジ５側から仕切構造６に複数のネジ７をねじ込んで取付けているが、本体箱体４と仕切構造６が接触するこのような取付け方は、防災上の規制を受けることがあり、適用できないこともある。例えば、札幌消防署では札消予第１５２号「浴室における天井埋込式乾燥装置」において乾燥機の取付方法が定められている。それによれば、取付面に金属以外の不燃材料を敷き、かつ不燃材料を用いて補強し堅固に取付けることが明示されている。
【０００６】
本発明は、上記した乾燥装置の取付けに関する従来の問題点を解消するためになされたもので、その課題とするところは、乾燥装置のメンテナンスも容易に実施でき、防災上の問題を克服できる乾燥装置の取付装置を開発することであり、その取付装置の機能を拡充することである。
【０００７】
【課題を解決するための手段】
前記課題を達成するために請求項１の発明は、本体箱体の下端に外方へ張出す取付フランジを有する乾燥装置を天井等の仕切構造に開設した取付フランジの投影平面積より広い開口面積の取付穴にその本体箱体を挿入し、仕切構造に取付フランジが沿う状態に取付ける乾燥装置の取付装置に関し、その取付フランジの背面に配設され、本体箱体の周側部と取付穴の開口端面とを非接触の状態におく金属以外の不燃材料で構成された離隔部材と、取付穴の背面側の口縁に外周部が当接し、本体箱体を挿通する開口部を中央に備えた不燃材料で構成された固定板とを有し、本体箱体を、その取付フランジと固定板との間に離隔部材を挟んでその取付フランジ側から固定板へ複数のネジをねじ込んで固定する手段を採用する。
【０００８】
前記課題を達成するために請求項２の発明は、本体箱体の下端に外方へ張出す取付フランジを有する乾燥装置を天井等の仕切構造に開設した前記取付フランジの投影平面積より広い開口面積の取付穴にその本体箱体を挿入し、仕切構造に取付フランジが沿う状態に取付ける乾燥装置の取付装置に関し、その取付穴の背面側の口縁に外周部が当接し、前記本体箱体を挿通する開口部を中央に備えた不燃材料で構成された補強板と、補強板との間に金属以外の不燃材料で構成された離隔部材を挟んで仕切構造の背面側に配設され、取付穴の室内側の口縁に延びる内向きのフランジを備えた固定部材とを有し、本体箱体を補強板の開口部に挿通させて、その取付フランジを固定部材のフランジに取付フランジ側からの複数のネジのねじ込みにより固定する手段を採用する。
【０００９】
前記課題を達成するために請求項３の発明は、請求項１又は請求項２のいずれかに係る前記手段における乾燥装置の取付フランジのコーナ部分が面取りされたものに対して、その面取り部分を補完する形状の閉止部材を取付フランジの面取り部分に対応する位置に配設する手段を採用する。
【００１０】
【発明の実施の形態】
次に本発明の実施の形態を図面に基づいて説明する。
実施の形態１．
図１〜図４によって示すこの実施の形態１は、従来の技術の項において説明したような構成の乾燥装置の取付装置に関するものであり、乾燥装置自体の構成部分については先に説明したものと同一の符号を用いそれらについての説明は省略する。
【００１１】
この取付装置は、天井板等の仕切構造６に開設した取付穴１０に乾燥装置を仕切構造６とは非接触の状態に取付けるものであり、図２に示すように離隔部材１１と固定板１２とから構成されている。仕切構造６の取付穴１０は、本体箱体４の形状に応じた角穴として開設され、取付フランジ５の投影平面積より広い開口面積を有する。離隔部材１１は、金属以外の不燃材料（ロックウール又はこれと同等以上の遮熱性を有するもの）で構成され、基本的には９ｍｍ以上の厚さを有する枠状に構成され、取付フランジ５の背面に配設されて本体箱体４の周側部と取付穴１０の開口端面１３とを非接触の状態におく。固定板１２は、取付穴１０の背面側の口縁にその外周部が当接する平面積をもつ金属板等の不燃材料で構成された枠体で、中央に本体箱体４を挿通する開口部を備え、開口部の口縁部にはネジ締めのためのスリット状等のネジ締構造（図示しない）が形成されている。この取付装置による乾燥装置の取付けは次のようにして行なわれる。
【００１２】
まず、固定板１２を取付穴１０から挿入してその開口部が取付穴１０の中央に位置するように仕切構造６の背面に配設する。離隔部材１１を取付フランジ５の背面側に本体箱体４の周側部を取囲む状態に装着し、本体箱体４を室内側から取付穴１０に沿って挿入し、取付フランジ５と固定板１２との間に離隔部材１１を挟んだ状態で取付フランジ５に形成された複数個のネジ挿通孔（図示しない）から固定板１２のねじ締構造へ複数のネジ７をねじ込んで本体箱体４を固定板１２に対して固定し、最後に化粧グリル８を本体箱体４に装着する（図１，２，４参照）。これにより、本体箱体４と仕切構造６とは非接触の状態で、離隔部材１１により離隔され防災上問題のない取付状態となる。乾燥装置の取外しは取付フランジ５のネジ７を室内側から外すことにより実施でき、乾燥装置のメンテナンスもし易い。
【００１３】
なお、固定板１２の開口部は本体箱体４との間に隙間ができる開口面積を確保すると、本体箱体４と固定板１２が接触しないので防災上より好ましい。固定板１２を数箇所において仕切構造６の背面にビス等で固定しておくと、ネジ締めにあたり固定板１２が浮くこともなくネジ締め作業がし易くなる。離隔部材１１は上述のように必ずしも枠状に構成する必要はなく、角棒状のものを組合わせた構成を採ってもよく、固定板１２に予め接着し一体化しておけば、取付作業も一層し易くなる。
【００１４】
実施の形態２．
図５〜図９によって示すこの実施の形態２も実施の形態１と同様に、乾燥装置の取付装置に関するものであり、乾燥装置の構成は実施の形態１で示したものと同じであり、実施の形態１と同じ符号を用いることで、それらについての説明は省略する。
【００１５】
この取付装置も、図８に示すように仕切構造６に開設した取付穴１０に乾燥装置を仕切構造６とは非接触の状態に取付けるものであり、図５，６に示すように補強板１４と離隔部材１１と固定部材１５と閉止部材１６とから構成されている。仕切構造６の取付穴１０は、本体箱体４の形状に応じた角穴として開設され、取付フランジ５の投影平面積より広い開口面積を有する。補強板１４は、取付穴１０の背面側の口縁にその外周部が当接する平面積をもつ不燃材料で構成された枠体で、中央に本体箱体４を挿通する開口部を備えている。開口部の口縁の四箇所には位置決め用の突起１７が下向きに形成されている。離隔部材１１は、金属以外の不燃材料（ロックウール又はこれと同等以上の遮熱性を有するもの）で構成され、基本的には９ｍｍ以上の厚さを有する枠状に構成され、仕切構造６の取付穴１０の背面側の口縁に配設される。固定部材１５は、取付穴１０の背面側の口縁外方に張出すフランジ１８と、取付穴１０の室内側の口縁に延びる内向きのフランジ１９を角筒部２０の両端に備えた金属板等の不燃材料で構成された枠体で、角筒部２０には本体箱体４を挿通する開口部を備え、内向きのフランジ１９にはネジ締めのためのスリット状のネジ締構造（図示しない）が形成されている。閉止部材１６は、本体箱体４の取付フランジ５の四箇所の面取り２１されたコーナ部の、その面取り２１部分を補完する三角形の形状に不燃材料により形成されている。
【００１６】
この取付装置による乾燥装置の取付けは次のようにして行なわれる。まず、補強板１４を取付穴１０から挿入してその開口部が取付穴１０の中央に位置するように仕切構造６の背面に配設する。次に、この補強板１４の取付穴１０の口縁に対応する位置に離隔部材１１を重ね、固定部材１５を取付穴１０から入れて外向きに張り出すフランジ１８と補強板１４とで離隔部材１１を挟むようにする。これにより、固定部材１５は補強板１４の突起１７に位置決めされ、取付穴１０の室内側には固定部材１５の内向きのフランジ１９が縁取り状に現われる状態に装着される。この後、本体箱体４を室内側からフランジ１９で囲まれる取付穴１０に挿入し、取付フランジ５の面取り２１部分に閉止部材１６を配設し、取付フランジ５に形成された複数個のネジ挿通孔から固定部材１５のフランジ１９のねじ締構造へ複数のネジ７をねじ込んで本体箱体４を固定部材１５に対して図７，８に示すように固定し、最後に化粧グリル８を本体箱体４に装着する。これにより、本体箱体４と仕切構造６とは非接触の状態で、離隔部材１１と補強板１４とにより離隔され防災上問題のない取付状態となる。乾燥装置の取外しは取付フランジ５のネジ７を室内側から外すことにより実施でき、乾燥装置のメンテナンスもし易い。また、本体箱体４の取付フランジ５の面取り２１部分にできる隙間が閉止部材１６で閉止されるため、室内（浴室）の湿気の天井裏への侵入を防止することができる。
【００１７】
なお、補強板１４の開口部は本体箱体４との間に隙間ができる開口面積を確保すると、本体箱体４と補強板１４が接触しないので防災上より好ましい。また、固定部材１５も離隔部材１１も上述のように必ずしも枠状に構成する必要はなく、分割構成を採っても構わない。さらに、補強板１４又は固定部材１５に離隔部材１１を予め接着し一体化しておけば、取付作業も一層し易くなる。閉止部材１６については、実施の形態１で示した取付装置にも図９に示すように同様な仕方で装着することが可能である。
【００１８】
【発明の効果】
以上実施の形態での説明からも明らかなように、請求項１の発明によれば乾燥装置のメンテナンスも容易に実施しうる、防災上の問題を克服できる乾燥装置の取付装置が得られる。
【００１９】
請求項２の発明によれば乾燥装置のメンテナンスも容易に実施しうる、防災上の問題を克服できる乾燥装置の取付装置が得られる。
【００２０】
請求項３の発明によれば請求項１又は請求項２のいずれかに係る前記効果とともに仕切構造の裏側への湿気の侵入を防止できる。
【図面の簡単な説明】
【図１】  実施の形態１の乾燥装置の取付装置を示す斜視図である。
【図２】  実施の形態１の乾燥装置の取付装置を示す斜視図である。
【図３】  実施の形態１の取付装置で取付けた乾燥装置を示す側面図である。
【図４】  図３のＡ矢印部の拡大断面図である。
【図５】  実施の形態２の乾燥装置の取付装置を示す斜視図である。
【図６】  実施の形態２の乾燥装置の取付装置を示す斜視図である。
【図７】  実施の形態２の取付装置で取付けた乾燥装置を示す側面図である。
【図８】  図７のＢ矢印部の拡大断面図である。
【図９】  実施の形態２の他の乾燥装置の取付装置を示す斜視図である。
【図１０】  一般的な乾燥装置の構成を示す分解斜視図である。
【図１１】  従来の乾燥装置の取付け形態を示す断面図である。
【符号の説明】
４  本体箱体、  ５  取付フランジ、  ６  仕切構造、  ７  ネジ、  １０  取付穴、  １１  離隔部材、  １２  固定板、  １３  開口端面、  １４  補強板、  １５  固定部材、  １６  閉止部材、  １８  フランジ、  １９  フランジ、  ２１  面取り。
【図１】
0003896694.tif 000002
【図２】
0003896694.tif 000003
【図３】
0003896694.tif 000004
【図４】
0003896694.tif 000005
【図５】
0003896694.tif 000006
【図６】
0003896694.tif 000007
【図７】
0003896694.tif 000008
【図８】
0003896694.tif 000009
【図９】
0003896694.tif 000010
【図１０】
0003896694.tif 000011
【図１１】
0003896694.tif 000012